(57)【要約】本発明は埋め込まれた磁石を有する永久磁石励磁型同期機（１）に関し、これは特に、レンジエクステンダ発電機に適している。これは、固定子（２）と回転子（３）とを備え、励磁機磁石が提供される。回転子（３）は少なくとも２つの回転子極（４）を有し、各々に１つの励磁機磁石（７）が提供される。同期機（１）の磁気トルク限界を増加させるために、−各回転子極（４）において、少なくとも１つ、好ましくはいくつかの選択的磁束バリアが、好ましくは、主極磁束と平行な、実質的に放射状のスロット（８）として、ポールシューの領域に提供される。
2013505695.tif 000002
【特許請求の範囲】
【請求項１】
固定子（２）と回転子（３）とを備える、とりわけレンジエクステンダ発電機のための、埋め込まれた磁石を有する永久磁石励磁型同期機（１）であって、前記回転子（３）は少なくとも２つの回転子極（４）を有し、各々が励磁機永久磁石（７）および磁束バリアとしての開口を有し、前記同期機（１）の磁気トルク限界を増加させるために、かつ、前記回転子極（４）における交差磁束を減少させるために、前記開口の各々は、その実質的全長（Ｌ）にわたって一定幅（Ｂ）を有する実質的に放射状のスロット（８）の形態の選択的磁束バリアとして形成される、永久磁石励磁型同期機。
【請求項２】
前記回転子極（４）は突極として形成され、前記放射状スロット（８）は、選択的磁束バリアとして、平行な側面（９）を有する長手方向開口として形成される、請求項１記載の永久磁石励磁型同期機。
【請求項３】
前記スロット（８）の各々は、選択的磁束バリアとして、外側極表面（４Ｂ）および前記磁石（７）を受理する極空洞（４Ｃ）よりブリッジまたはウェブ（１４）を介して制限される長さ（Ｌ）を有する、請求項１または２記載の永久磁石励磁型同期機。
【請求項４】
前記放射状スロット（８）の幅（Ｂ）は、選択的磁束バリアとして、隣接スロット（８）間の最小距離（１５）の、前記スロット（８）の幅（Ｂ）に対する関係が、固定子歯（２Ｃ）の幅の隣接固定子歯（２Ｃ）間の溝（２Ａ）に対する比と少なくとも同一またはそれ以上となるように設計される、前記請求項のいずれかに記載の永久磁石励磁型同期機。
【請求項５】
前記放射状スロット（８）の少なくとも１つは、追加の磁束バリアとしての少なくとも１つの永久磁石（１３）と結合される、前記請求項のいずれかに記載の永久磁石励磁型同期機。
【請求項６】
追加の磁束バリアとしての、前記放射状スロット（８）内の前記永久磁石（１３）は、くさび形とされ、前記回転子（３）の内側の穴（１０）に向かってテーパー状とされる、請求項５記載の永久磁石励磁型同期機。
【請求項７】
追加の磁束バリアとしての、前記放射状スロット（８）内の前記永久磁石（１３）は、前記放射状スロット（８）の半径方向の内側３分の１のみを満たす、請求項５または６記載の永久磁石励磁型同期機。
【請求項８】
追加の磁束バリアとしての、前記放射状スロット（８）内の前記永久磁石（１３）の南北極位置は、前記放射状スロット８の長さ（Ｌ）に対して横に配列させることができる、請求項５ないし７のいずれかに記載の永久磁石励磁型同期機。
【請求項９】
２つ以上の放射状スロット（８）は、各ポールシュー（６）内で提供され、選択的磁束バリアとしての、前記放射状スロット（８）の数は、対応するポールシュー（６）の領域における固定子歯（２Ｃ）の数に対応するように決定される、前記請求項のいずれかに記載の永久磁石励磁型同期機。
【請求項１０】
前記スロット（８）は、前記回転子（３）の内側の穴（１０）に向かって放射状パターンを有する、前記請求項のいずれかに記載の永久磁石励磁型同期機。
【請求項１１】
−複数の円周固定子歯（２Ｃ）を有する固定子（２）と、
−前記固定子（２）内で回転するように構成された回転子（３）と、
−前記回転子（３）を支持し、その軸上で回転させるための回転軸と、
−前記回転子（３）上にあり、シャンク（５）を含み、前記シャンク上にシュー（６）を含む突極（４）と、
−前記突極（４）内の長方形断面空洞（４Ｃ）であって、回転子直径により区切られた円の弦と一致する断面主軸を有し、前記弦および前記主軸と平行な半径方向に外側の頂壁を有する、長方形断面空洞（４Ｃ）と、
−前記長方形空洞（４Ｃ）内の励磁機永久磁石（７）と、
−前記突極（４）内の複数の選択的磁束バリアスロット（８）であって、前記永久磁石（７）の外側に向かって放射状に、前記長方形空洞（４Ｃ）の前記半径方向に外側の頂壁と、前記シュー（６）の外表面（４Ｄ）の間に配置された、選択的磁束バリアスロット（８）と、
を備え、
−前記複数のスロット（８）は、前記弦に対して扇形配列で配置され、そのため、前記極（４）の主軸（Ｄ）に円周方向により近接して配置された前記複数のスロット（８）は、前記主極軸（Ｄ）から円周方向により遠くに、相対的に配置された前記スロット（８）の他のものよりも、前記主極軸（Ｄ）に対し、より小さな傾斜角絶対値で傾斜され、ならびに、
−前記複数のスロット（８）は、前記シュー（６）に半径方向に対向する前記固定子歯（２Ｃ）の数に対応するように選択される数である、永久磁石励磁型同期機。
【請求項１２】
前記複数のスロット（８）の１つ内に磁束バリア永久磁石（１３）をさらに備える、請求項１１記載の永久磁石励磁型同期機。
【請求項１３】
前記磁束バリア永久磁石（１３）は、長手方向断面がくさび形とされ、前記回転軸に向かって半径方向にテーパー状とされる、請求項１２記載の永久磁石励磁型同期機。
【請求項１４】
前記磁束バリア永久磁石（１３）は、前記複数のスロット（８）の前記１つの半径方向の内側３分の１以下を満たす、請求項１２記載の永久磁石励磁型同期機。
【請求項１５】
前記磁束バリア永久磁石（１３）の南北極配向は、前記スロット８に対して横に配置される、請求項１２記載の永久磁石励磁型同期機。
【請求項１６】
複数の磁束バリア永久磁石（１３）をさらに備え、前記複数の磁束バリア永久磁石（１３）の各それぞれの１つは、前記複数のスロット（８）のそれぞれの１つに配置される、請求項１２記載の永久磁石励磁型同期機。
【請求項１７】
前記スロット（８）の各々が、その個々の長さ（Ｌ）にわたって一定幅（Ｂ）を有する、請求項１１記載の永久磁石励磁型同期機。
【請求項１８】
前記複数のスロット（８）の隣接するものの間の最小距離（１５）の、前記スロット（８）の幅（Ｂ）に対する比は、固定子歯幅の隣接する固定子歯（２Ｃ）間の溝（２Ａ）の幅に対する比と少なくとも同一またはそれ以上である、請求項１７記載の永久磁石励磁型同期機。
【請求項１９】
−複数の円周固定子歯（２Ｃ）を有する固定子（２）と、
−前記固定子（２）内で回転するように構成された回転子（３）と、
−前記回転子（３）を支持し、その軸上で回転させるための回転軸と、
−前記回転子（３）上にあり、シャンク（５）を含み、前記シャンク上にシュー（６）を含む突極（４）と、
−前記突極（４）内の長方形断面空洞（４Ｃ）であって、回転子直径により区切られた円の弦と一致する断面主軸を有し、前記弦および前記主軸と平行な半径方向に外側の頂壁を有する、長方形断面空洞（４Ｃ）と、
−前記長方形空洞（４Ｃ）内の励磁機永久磁石（７）と、
−前記突極（４）内の複数の選択的磁束バリアスロット（８）であって、前記永久磁石（７）の外側に向かって放射状に、前記長方形空洞（４Ｃ）の前記半径方向に外側の頂壁と、前記シュー（６）の外表面（４Ｄ）の間に配置された選択的磁束バリアスロット（８）と、
−複数の磁束バリア永久磁石（１３）であって、前記複数の磁束バリア永久磁石（１３）の各それぞれ１つは、前記複数のスロット（８）のそれぞれ１つ内に配置される、複数の磁束バリア永久磁石（１３）と、
を備え、
−前記磁束バリア永久磁石（１３）は、それぞれの長手方向断面がくさび形とされ、前記回転軸に向かって半径方向にテーパー状とされ、ならびに、
−前記複数のスロット（８）は、前記シュー（６）に半径方向に対向する前記固定子歯（２Ｃ）の数に対応するように選択される数である、永久磁石励磁型同期機。
【請求項２０】
前記複数の磁束バリア永久磁石（１３）はそれぞれ、それが配置される個々のスロット（８）の半径方向の内側３分の１以下を満たす、請求項１９記載の永久磁石励磁型同期機。
【請求項２１】
前記磁束バリア永久磁石（１３）の各々の南北極配向は、それが配置される個々のスロット（８）に対して横に配置される、請求項１９記載の永久磁石励磁型同期機。
【請求項２２】
前記スロット（８）の各々が、その個々の長さ（Ｌ）にわたって一定幅（Ｂ）を有する、請求項１９記載の永久磁石励磁型同期機。
【請求項２３】
前記複数のスロット（８）の隣接するものの間の最小距離（１５）の、前記スロット（８）の幅（Ｂ）に対する比は、固定子歯幅の隣接する固定子歯（２Ｃ）間の固定子ギャップ（２Ａ）の幅に対する比と少なくとも同一またはそれ以上である、請求項２２記載の永久磁石励磁型同期機。
【請求項２４】
前記複数のスロット（８）は、前記弦に対して扇形配列で配置され、そのため、前記極（４）の主軸（Ｄ）に円周方向により近接して配置された前記複数のスロット（８）は、前記主極軸（Ｄ）から円周方向により遠くに、相対的に配置された前記スロット（８）の他のものよりも、前記主極軸（Ｄ）に対し、より小さな傾斜角絶対値で傾斜される、請求項１９記載の永久磁石励磁型同期機。
【発明の詳細な説明】
【技術分野】
【０００１】
本出願は、２００９年９月２６日に出願された前の米国仮出願第６１／２４６，１２３号に対し、その非仮出願として、優先権の恩典を主張し、本出願はまた２００９年９月１８日に出願された前のスイス国内出願第１４４５／０９号に対し優先権の恩典を主張し、スイス出願第１４４５／０９号および米国出願第６１／２４６，１２３号のすべてが、あらゆる意味で、完全に同じように本明細書で示されるかのように、参照により本明細書に全体として明確に組み込まれる。
【０００２】
本発明は、埋め込まれた磁石を有する永久磁石励磁型同期機、特に、好ましくは電気自動車の航続距離延長（レンジエクステンション）のための内燃機関の同期発電機のための永久磁石同期機に関する。
【背景技術】
【０００３】
永久磁石励磁型同期機は、３から３０ｋＷの電力範囲の発電機として広く使用されている。そのような機械は、固定子と回転子とを備える。ほとんどの同期機は、内部回転子を有するように設計され、この配列では回転子は、内側部であり、固定子が外側部である。外側回転子が使用される場合、配列は逆転される。固定子には、永久磁石または電磁石が備えられる。永久磁石励磁型同期機では、回転子はまた、「アンカー」と呼ばれる。
【０００４】
磁石が回転子の内部に配置される設計は、特に作製が容易であると見なされる。この配列は一般に、埋め込まれた磁石または「内部永久磁石」（ＩＰＭ）を有する実施形態と呼ばれる。
【０００５】
回転子内部の磁石のアセンブリは、機械的利益の他に、一連の電磁特性を有し、とりわけ、モータのリラクタンス、すなわち、固定子電流の位相角に対する回転子位置からのモータのインダクタンスの依存性が、最も重要なものとして強調される。
【０００６】
自動車駆動時のリラクタンスは、電流位相角を介して場に影響を与える非常に歓迎される機会であるが、電気自動車の移動範囲の延長のためには、磁気モーメント限界、よって、発電機が備えられた内燃機関を始動するための有効トルクに逆効果を有する（レンジエクステンダ発電機）。
【０００７】
レンジエクステンダ発電機により発生する電力および／または機械動力は、一定の最大持続速度までの自動車の平均消費動力を、カバーする。しかし、動力ピーク、例えば、加速、登坂および最高速度、などのために、自動車は、追加の動力を駆動システムに要求し、これは、主駆動の著しくより強力な電気モータにより与えられる。
【０００８】
たとえ、その性能が回転速度により調節されるべきであっても、内燃機関は専ら一定回転エンジンとして動作させてもよく、これは、狭い速度および動力範囲でその効率および排出特性を最適化するのに好適である。
【０００９】
自動車駆動装置に比べ、レンジエクステンダのためのモータは、組み込みのために必要とする空間が非常に小さい。これは通常、１つまたは２つのシリンダのみから構成され、そのため、中間出力トルク、ならびに動力行程中に発生する正の最大出力トルクおよび圧縮行程中に起こる負の最大出力トルクの間に非常に大きな差が存在する。
【００１０】
始動プロセスでは、各始動位置でのトルクピークは克服されるべきであり、モータは公称回転速度まで加速されるべきであり、そのため、扱いにくい排ガス性能における困難な冷間始動段階を短く保つことができ、関連サイクル中の自動車の有効総排気量への悪影響はない。
【００１１】
このため、シリアルハイブリッド駆動システムの重要な効率を落とさないように、発電機としての結合永久磁石励磁型同期モータから、良好な過負荷能力および同時に、公称動作範囲における高効率性が必要とされる。
【００１２】
始動段階のために、発電機はモータとして動作できなくてはならない。スタンディングスタートからの始動駆動トルクを克服した後、発電機は数秒間モータとして動作され、最小回転速度で動作し、エミッションクリチカルとなる燃焼エンジンの始動段階を短く保つために、大きな過負荷モーメントを提供する。その後、発電機の公称トルクは著しく超えられ、これは、−適当なサイズのインバーターの大型化−発電機としての非常に高い磁気トルク限界を要求する。
【００１３】
発電機としての永久磁石励磁型同期機に対する上記特別な要求のために、先行技術において、ある型の永久磁石同期機（ＰＳＭ）の使用が特に好都合であることが証明されている。技術上の理由のために、好ましい型のＰＳＭはまた磁石のための保持システムとして回転子の構造を使用する。
【００１４】
永久磁石励磁型同期機としての正弦場機械（正弦波発電機）の使用は、矩形場発電機に比べ、回転角に対する一定トルクおよび調和場からのより低いノイズという利点を有する。これはまた、バッテリの中間回路において発電機として使用される場合に、有効であり、ある回転角に対し一定の出力を有する。
【００１５】
ハーモニックに富む内燃機関、とりわけ少数のシリンダを備えるものの出力動力は、一定のトルクアブソーバーとしての正弦波発電機の挙動に積極的に影響する。内燃機関のトルクの強い振幅は、回転子の慣性モーメントの変化を介して異なる回転速度変化を引き起こす。
【００１６】
先行技術の発電機に関する問題点は、発電機のトルクが内燃機関に影響されることにある。他方、先行技術によると渦電流は磁石に向かうことができ、異なる速度変化および追加の損失を引き起こす。
【００１７】
正弦波発電機の回転子はまた、フライホイールとして機能する。そのようなフライホイール質量は、すでに知られているように、内燃機関のトルクショックを、回転速度の波うちに変換する。発電機のこの二重機能により、この機構における機械動力の波うちは小さい。この挙動の発電機ではないが、追加のトルクハーモニクスが発電機において発生すると、回転振動が発生し、騒音発生に加えて、補償プロセスにより、機械および電気系において追加の損失が引き起こされ得る。
【００１８】
先行技術では、発電機として使用することができる表面磁石を有する永久磁石励磁型同期機は、極を通過する主軸、ならびに、極ギャップを通過する副軸または横軸の間で有する誘導差が全くなく、または非常に小さなものにすぎない。それらのリラクタンス挙動は無視することができ、そのため、磁石が十分なサイズであれば、レンジエクステンダ発電機の要求に適するであろう。しかしながら、磁石のアセンブリは、接着ボンドによる取り付けプロセスおよびその後のクレバーまたはガラス繊維によるバンデージングにおいて実施され、そのため、複雑な製造プロセスとなってしまい、製造中のサイクル時間の延長が必要となる。
【００１９】
さらに、表面上の磁石の位置により、反復電場が磁石を通過し、磁石の導電材料で渦電流を発生させ、これは損失と関連し、磁石の自己加熱および減磁を引き起こし得る。
【００２０】
回転子内の磁石の埋込配列では、表面磁石を有するモータの製造の難しさを大部分取り除くことができるが、主軸と副軸のインダクタンスのある程度大きな差が引き起こされる。結果として、得られたリラクタンス効果は、発電機の過負荷容量を減少させる。
【００２１】
磁石を取り囲む薄い軟磁性構造によりこの効果を最小に抑える試みがなされた。しかし、この構造は、機械的および電磁的制限を有する。保持構造の非常に薄いバージョンでは、同様の渦電流損失が、表面磁石の場合のように、磁性材料において起こる。
【００２２】
国際公開第２００７０４８２１１−Ａ２号公報は、励磁機永久磁石を有する回転子を開示し、この場合、各回転子極のポールシュー領域に３つのエアバリアが設けられる。これらのエアバリアは、長いアーモンド様開口が極主軸と平行に配向されるように．設計される。これらのエアバリアにより、永久磁石の磁束の分散を減少させる試みがなされたが、その結果は満足のいくものではなかった。
【先行技術文献】
【特許文献】
【００２３】
【特許文献１】国際公開第２００７０４８２１１−Ａ２号公報
【発明の概要】
【発明が解決しようとする課題】
【００２４】
そのため、本発明の主目的は、表面磁石を有する同期機と同様の過負荷容量を有するが、磁石において追加の損失がなく、上記先行技術の不利益を回避する、埋め込まれた磁石を有する永久磁石励磁型同期機を提供することである。
【００２５】
本発明の別の目的は、表面磁石を有する永久磁石励磁型同期機の利点を維持し、その高い過負荷容量を埋め込まれた磁石の利点と、とりわけ有利な製造可能性に関して、組み合わせることである。
【課題を解決するための手段】
【００２６】
この上記課題は、添付の独立クレーム1において主張される本発明による同期機により解決されている。別の有利な実施形態が、従属クレームにおいて特定される。
【００２７】
同期機の磁気トルク限界を増加させるために、同時に、回転子極における交差磁束を減少させるために、各開口を、選択的磁束バリアとして、好ましくは一定幅を有する本質的に放射状のスロットの形態で形成させる。
【００２８】
そのため、本発明によれば、各回転子極において、少なくとも１つであるが、通常複数の選択的磁束バリアが、磁石の主磁束に対してなんら追加の抵抗を示さないが、有害な交差磁束に対してかなりの抵抗を示すように、提供される。よって、リラクタンストルクは効果的に減少される。
【００２９】
本発明によるこれらの選択的磁束バリアにより、横Ｑ軸方向の磁気抵抗は著しく増加し、よって、交差磁束の観点からの固定子の効果（主に、Ｑ方向）は大きく抑制される。そのため、高負荷下でのこの機械の挙動は表面磁石機械のものと非常に類似する。
【００３０】
この選択的磁束バリアの一定幅は、それらの相互方向により、それらが、均質磁束を正弦分布で回転子表面上に「突出させる」または案内する疑似「磁束チャネル」を形成するので、重要な役割を果たすことに注意すべきである。これにより、とりわけ磁束バリアの特定の非平行配列によって、本発明による実施に際して、磁束バリアの主な役割が完全に達成され、これは、以前他のものにとって解決されるべき唯一の課題であったが、成功していなかった。
【００３１】
そのため、本発明者らは、本発明により、前にすでに言及したエアバリア(国際公開第２００７０４８２１１号から公知）を随分改善することに成功し、この改善は、本開示で言及される驚くべき技術効果と関係する。
【００３２】
励磁機永久磁石上方で形成された、回転子極の軟磁性部分において、一定幅を有する実質的に放射状のスロットの形態で選択的磁束バリアを適用することにより、磁気トルク限界は著しく増加される。この磁気トルク限界の増加は、とりわけ、ＲＥＸ−発電機のための発電機としての実施形態では、最も有利である。
【００３３】
本発明では、埋め込まれた磁石を有する従来の永久磁石励磁型機械と比べ、リラクタンストルクがＲＥＸ−発電機において、特に自動車の始動および坂道段階において、燃焼エンジンがその動作回転速度に迅速にされなければならない場合に、著しく減少される。有利なことに、これにより、例えば、冷間始動段階が可能な限り短くできるが、排ガスの後処理を可能な限り簡単にすることができ、これらは重要な利点である。
【００３４】
ＲＥＸ−発電機がこれらの特徴を満たさない場合、高い生ガスを回避することができない（これが、先行技術においてかなりの追加の手段が必要とされる理由である）。また、ＲＥＸ−発電機に、追加の表面磁石を取り付けた場合、これにより、主駆動のための均一分割概念が困難となり、あるいは不可能となり、上記不利益を引き起こすことになるであろう。
【００３５】
そのような均一分割概念は以前、埋め込まれた磁石を有する従来の永久磁石機械−本発明によるリラクタンスバリアなし−では可能ではなかったが、これは、ＲＥＸ−発電機上に配置された、すべてのタスクの同時実行のための有効な磁気トルク限界が十分ではなかったためであったことに注意すべきである。
【００３６】
本発明による永久磁石励磁型同期機は作製が容易であり、この場合、回転子板は、ポールシュー領域にスロット形状の凹部を有するように穴が開けられる。より小さなブリッジまたはウェブを、連結ブリッジとして有効なままとすることができ、回転子に要求される強度特性が与えられる。
【００３７】
本発明の好ましい実施形態によれば、これらの機械的に交差不可能な連結ブリッジまたはウェブは、追加の比較的小さな永久磁石により占有または飽和され、そのため、それ自体、軟鉄製であるが、追加の磁束バリアとしても機能する。
【００３８】
好ましくは、少なくとも１つのスロットにおいて、少なくとも１つの永久磁石が、追加の磁束バリアとして、配列され得る。要求される磁石体積は、実質的には、主磁場のための磁気質量の１０％未満である。
【００３９】
好ましくは、予め磁化させた永久磁石を簡単に、磁石磁束バリアの用意された「ポケット」、すなわち、一定幅を有する実質的に放射状のスロット（ポールシューのスロットが形成されたセクション）に押し込む。この手段なしでは、磁束バリアは、連結ブリッジが望まれない交差磁束で飽和された後にのみ作用し、このため、引き起こされるリラクタンスの減少はより小さくなる。驚くべきことに、リラクタンスは、追加の永久磁石を挿入することにより、ずっと大きく減少させることができる。
【００４０】
従来の内部永久磁石励磁型同期モータ（ＩＰＭ）に基づき、本発明は、下記有利な特性を有する、特にレンジエクステンダ発電機（ＲＥＸ−発電機）のための新規永久磁石励磁型同期機を提供する：
−極表面は、磁石により誘導される磁束が正弦分布を有するように設計される
−一方、磁石の軟磁性領域における１つ以上の磁束バリアは、回転子極の主軸またはＤ−軸に沿って配列され、横軸（Ｑ）のインダクタンスが著しく減少されるが、主軸（Ｄ）の磁束はいずれの追加の抵抗によっても妨害されない。そのため、制限なく、その初期値を維持することができ、よって、望ましくないリラクタンスが減少され、磁気トルクは表面載置磁石を有する等価機械のレンジまで増加される。
【００４１】
本発明のそのようなおよび別の詳細および利点について、添付の図面を参照し、本発明の例示的な実施形態、埋め込まれた磁石を有する永久磁石励磁型同期機を使用して以下で説明する。
【００４２】
同じ参照文字は、図面全体を通して同じまたは同様の構成要素を示す。
【図面の簡単な説明】
【００４３】
【図１】磁束線を有する、本発明による永久磁石励磁型同期機の断面図を示す。
【図２】本発明者らの実験結果としての、図１の同期機の一部の変型実施形態の線図を示す。
【図３】図２による回転子極の拡大上面図を示す。
【発明を実施するための形態】
【００４４】
図面において、図１は、本発明による、磁束線を有する、永久磁石励磁型同期機１の一実施形態の略断面を示す。図示された実施形態は、特にレンジエクステンダ発電機のために最適化される。
【００４５】
同期機１には、外側固定子２と内側回転子３が備えられる。固定子２は、公知の分布巻（図示せず）のための溝２Ａを有する従来の様式で提供される。固定子２の内側の穴１１の直径は、図１では、２Ｂで示される。固定子２のこの穴１１は、回転子３を受理するために設計される。前記溝２Ａ間に、固定子歯２Ｃが固定子２において提供される。回転子３は、シャフトを受理するための、直径３Ａの内側の穴１０を有する。
【００４６】
図示される実施形態では、回転子３は６極設計を有する。本発明の意味では、回転子３はまた、２極、４極、８極などの設計を有してもよい。図１では、回転子３は、回転子突極４を有するように図示され、ここでポールコアおよびポールシューは、それぞれ、５および６で示される。主な中央極軸Ｄはまた４Ａで示される（図１および３）。図１では、副軸または横軸Ｑもまた図示されており、これは極４間のギャップを通過する。
【００４７】
回転子極４の各々は、励磁機永久磁石７と結合され、これはポールコア５内に水平に配置され（図２および３）、２つのリターディング（ｒｅｔａｒｄｉｎｇ）ブリッジ４Ｂにより両側が制限される。励磁機永久磁石７は、回転子極４の長い長方形の磁石空洞４Ｃ内に配列される。回転子４の外表面は、図では４Ｄにより示される。
【００４８】
図２は、本発明者らの実験結果としての、図１で示される、本発明による同期機１の変型実施形態の線図を示す。本発明によれば、ポールシュー６には、基本的には新規の回転子形状が提供される。回転子３の残りの要素は、埋め込まれた磁石を有する従来の機械と実質的に同じである。
【００４９】
本発明の意味では、同期機１の磁気トルク限界を増加させるために、一方、回転子極４において交差磁束を減少させるために、各回転子極４において、少なくとも１つ、好ましくはそれ以上の選択的磁束バリアが、好ましくは長手方向のスロット８の形態で、回転子極４の主軸４Ａの磁束方向で提供される。言い換えれば、これらのスロット８は実際にポールシュー６において実質的に放射状の配向を有し、一定幅Ｂを有することが意味されるそのため、スロット８は、選択的磁束バリアとして機能し、ポールシュー６において大体放射状の長手方向開口として形成され、実質的に平行な側面９を有する。図３で示されるように、スロット８は、長方形の磁石空洞４Ｃの長軸に平行な回転子円の弦セグメントに対し扇配列とされる。
【００５０】
本発明の別の特徴によれば、選択的磁束バリアとして機能するスロット８の配向は、ポールシュー６における残りの軟質金属部分が、ポールシュー６の関連セクションにおける固定子歯２Ｃ（図１）と大体同じ数を有するように、選択される。
【００５１】
この実施形態におけるスロット８および回転子極４の寸法および配向に関しては、図２および３において、長さＬおよび前記幅Ｂを有する、比較的狭く、実質的に放射状のスロット８が示されている。スロット８の長さＬは、永久磁石７の表面および回転子極４の外表面４Ｄの両方−回転子３の十分な機械的強度のために必要とされる金属ブリッジまたはウェブ１４により制限される。スロット８の幅Ｂは、大部分は、スロット８間の最小距離１５の比以下である。一方、前記幅Ｂは好ましくは固定子歯２Ｃの幅の固定子溝２Ａの幅に対する比以上である。図面に示される、長さの幅に対する関係は大体最適である。しかしながら、異なる比は、本発明の範囲内にある。
【００５２】
本発明による永久磁石励磁型同期機１の特に効果的な実施形態では、図２および３に示されるように、少なくとも１つの比較的小さな追加の永久磁石１３が、追加の磁束バリアとして（例えば、合計０．１ｋｇの磁石／５０ｋＷ公称電力）、好ましくは少なくとも１つのそのスロット８の半径方向の内側部分に配列される。これは、スロット８全体を満たしてもよいが、必ずしもその必要はない（図３を参照されたい）。
【００５３】
磁石１３がスロット８を完全に満たす場合、磁束バリアの効果はほぼ確実に減少され、一方、回転子３がより重くなってしまう。ポールシュー６の外側セクションでは、磁石１３は、特別な加熱および／または減磁に暴露されるであろう。しかし、この実施形態は特定の用途において考慮されてもよい。
【００５４】
別の実施形態では、永久磁石１３の南北極位置は、追加の磁束バリアとして、スロット８に対して横に配列させることができる。さらに、永久磁石１３は、追加の磁束バリアとして、図３で示されるように、好ましくはくさび形または台形とされ、回転子３の内側の穴１０に向かってテーパー状とされる。
【００５５】
２つ以上のスロット８が各ポールシュー６において提供され、選択的磁束バリアとしてのスロット８の数は、対応するポールシュー６の領域内の固定子歯２Ｃの数に対応するように決定することができる。
【００５６】
好ましくは、すでに予め磁化された永久磁石１３は、それ自体追加の磁束バリアを表すが、これは、その生成された磁束線が、磁束バリアを制限する磁気的に伝導性のウェブ１４を飽和させることができるように設計され、機械的にそれらは適切に設計される。予め飽和されたウェブ１４は各磁束に対し高い抵抗を有する。
【００５７】
動作中、そのため、永久磁石１３は、スロット８の延長部として有効な磁束に対し機能するが、これは、とにかく、ウェブ１４の妨害磁気伝導性が、本出願では、挿入された永久磁石１３により完全に排除またはブロックされるからである。
【００５８】
回転子中のこれらのウェブ１４は機械的にも、シャフトと回転子３との間のシャフトはめあいの遠心力および圧力を吸収するのに有利である。これらは、強度配慮に従い正確に設計され、電流印加に適合されるべきである。
【００５９】
埋め込まれた永久磁石を用いた、追加の永久磁石１３による、永久磁石励磁型突極電機１における横軸Ｑ（図２）方向の磁束バリアの機械的に必要とされる妨害の意図的な飽和は、全くこの目的のために、追加の磁束バリアとして作用するように導入されており、よって、本発明の基本的な改善を表す。
【００６０】
この実質的な改善は、広く電気駆動システムにおいて使用することができる。すなわち、上記適用とは独立して使用する価値がある。この点において、本発明者らは、本発明は内部永久磁石励磁型機に制限されないことを強調する。強度の理由のためにプレートブリッジが必要であるが、磁気的な観点から磁束バリアが有利である場合はいつでも、そのような磁石を使用して、金属ブリッジでの磁気伝導性を排除することができる。
【００６１】
本発明による上記磁束バリアを用いると、永久磁石励磁型突極電機１における磁気トルク限界が著しく増加するが、これは、得られたｑ−インダクタンスが磁束バリアを有さない実施形態に比べ１．５〜２．０倍、減少するからである。これは、今までのところ、内部永久磁石機が、表面載置磁石を有する機械に比べより低いトルクが可能であると考えられている理由である。これは、一方では他の不利益を有する。
【００６２】
提案した選択的リラクタンスバリア、すなわち、放射状スロット８および挿入された磁石１３のために、９０Ｎｍの公称トルクを有する本発明者らの試験機（１２３ｍｍの有効長および１６５ｍｍの回転子直径を有する）は３６０Ｎｍの最大トルク、すなわち公称トルクの４倍の大きさを実現した。提案した選択的リラクタンスバリアがないと、先行技術による同様のモータは、インバーターの能力にもかかわらず、約２５０Ｎｍしか発生させることができず、これは、過酷な作動条件下での安全な冷間始動のための、相応に大型のディーゼルエンジンの始動機−発電機のためには、少なすぎる。
【００６３】
図１〜３による永久磁石励磁型同期機１では、主軸Ｄのインダクタンスと横軸Ｑのインダクタンスの間の関係（図１）は、従来の表面磁石機のレベルに減少されており、よって、驚くべきことに、その磁気トルク限界が達成されているが、公知の表面磁石機のいずれの不利益もない。
【００６４】
追加の磁束バリアとして、極磁束線に平行である、磁石１３をスロット８に導入することにより、上記効果をさらに増加させることができるが、これはまた、機械的に必要な制限ブリッジまたはウェブ１４を飽和させることができるので、結果として、これらもまた実際に、磁束バリアとして機能する。
【００６５】
もちろん、本発明は記載される実施形態に限定されない。多くの別の実施形態およびそれらの組み合わせもまた、上記開示を基本にすれば、主張される保護範囲内で可能である。
【符号の説明】
【００６６】
１−埋め込まれた磁石を有する永久磁石励磁型同期機
２−固定子
２Ａ−溝（巻き用）
２Ｂ−固定子の内側の穴の直径
２Ｃ−固定子歯
３−回転子
３Ａ−回転子の内側の穴の直径
４−回転子極
４Ａ−極軸
４Ｂ−リターディングブリッジ
４Ｃ−磁石を受理するための空洞
４Ｄ−外側極表面
５−ポールコア
６−ポールシュー
７−励磁機永久磁石
８−選択的磁束バリアとしてのスロット
９−側面
１０−回転子の内側の穴
１１−固定子の内側の穴
１３−追加の磁束バリアとしての永久磁石
１４−ウェブ
１５−スロット間の距離
Ｂ−スロットの幅
Ｌ−スロットの長さ
Ｄ−主軸
Ｑ−横軸
【図１】
2013505695.tif 000003
【図２】
2013505695.tif 000004
【図３】
2013505695.tif 000005
【国際調査報告】
2013505695.tif 000006
2013505695.tif 000007
2013505695.tif 000008
2013505695.tif 000009
2013505695.tif 000010